(57)【特許請求の範囲】
【請求項１】
基板を収納した筐体の側壁にジャック挿入用開口縁を形成し、前記基板における開口縁と対向する箇所に、信号ライン用金属切片を立設すると共に、この信号ライン用金属切片と前記開口縁との間に、両立片部を有する略コ字形のグランドライン用金属切片を立設してあり、
前記信号ライン用金属切片は、前記筐体の開口縁からジャックを挿入したときに、このジャックの前記信号ライン用先端部がこのジャックの挿入方向から弾性当接する円弧形状部を有し、
略コ字形の前記グランドライン用金属切片は、前記ジャックのグランドライン用円棒部の外周２箇所に弾性当接してそのグランドライン用円棒部を挟む弾性円弧形状部をその両立片部に有していると共に、当該グランドライン用金属切片の両立片部の弾性円弧形状部の相互間に亘る部分が前記グランドライン用円棒部の外周１箇所に当接するようにして、前記ジャックと前記基板のグランドライン及び信号ラインとを接続するように構成し、更に、前記筐体の側壁のジャック挿入用開口縁から内側に向けてジャック保持用筒状リブを突設したことを特徴とするジャック構造。
【発明の詳細な説明】
【０００１】
【発明の属する技術分野】
本発明は、ジャックを基板に設けられたグランドラインと信号ラインに接続するようにしたジャック構造に関し、特に、この接続のために用いられていたケースを使用せずに接続することを可能にしたジャック構造に関する。
【０００２】
【従来の技術】
従来のジャック構造として、例えば、平１−１３２１９３号公報に記載されたヘッドホンジャックがある。これは、図３に示すように、ヘッドホンプラグ１１０が差し込まれるプラグ挿入部１０７に導電性部材１０８を設け、この導電性部材１０８はヘッドフオンプラグ１１０と絶縁して設けられ、さらにこの導電性部材１０８には信号アース端子１０４と独立して静電気アース端子１０９が接続されたものである。ところが、これにおいては、各端子１０４、１０５、１０６が設けられたケース１０３を使用しているために、構造が複雑になり、制作費が高くなり、コスト高になるという問題があった。
【０００３】
また、昭５８−１６２５８５号公報には、ジャックが記載されている。これは、図４、図５（ａ）（ｂ）（ｃ）、図６（ａ）（ｂ）（ｃ）に示すように、一対の端子Ｔ１、Ｔ２をプラグ２０１の差込み孔２１３の両側に相対向させた状態で配置し、少なくとも一方の端子Ｔ１を線材にて形成して弾性を有せしめ、この一方の端子Ｔ１を上記差込み孔２１３へ差込まれるプラグ２０１の差込み方向に対して交叉する方向に弾性変位可能に構成し、この一方の端子Ｔ１の上記弾性変位により接点２１６の切り入れを行うように構成したものである。ところが、これにおいては、一方の端子Ｔ１の形状が複雑であって全体の構造も複雑であって、制作費が高くなり、コスト高になるという問題があった。
【０００４】
【発明が解決しようとする課題】
本発明は、ケース等を用いることなくジャックを基板のグランドラインと信号ラインに簡単な構造で接続することができて、コストダウンを図ることができるジャック構造を提供することを目的としている。
【０００５】
【課題を解決するための手段】
本発明は、上記課題を解決するために提案されたものであって、請求項１に記載の発明は、基板を収納した筐体の側壁にジャック挿入用開口縁を形成し、前記基板における開口縁と対向する箇所に、信号ライン用金属切片を立設すると共に、この信号ライン用金属切片と前記開口縁との間に、両立片部を有する略コ字形のグランドライン用金属切片を立設してあり、前記信号ライン用金属切片は、前記筐体の開口縁からジャックを挿入したときに、このジャックの前記信号ライン用先端部がこのジャックの挿入方向から弾性当接する円弧形状部を有し、略コ字形の前記グランドライン用金属切片は、前記ジャックのグランドライン用円棒部の外周２箇所に弾性当接してそのグランドライン用円棒部を挟む弾性円弧形状部をその両立片部に有していると共に、当該グランドライン用金属切片の両立片部の弾性円弧形状部の相互間に亘る部分が前記グランドライン用円棒部の外周１箇所に当接するようにして、前記ジャックと前記基板のグランドライン及び信号ラインとを接続するように構成し、更に、前記筐体の側壁のジャック挿入用開口縁から内側に向けてジャック保持用筒状リブを突設したことを特徴としている。
【０００６】
【発明の実施の形態】
以下、本発明に係るジャック構造の実施の形態について、図を参照しつつ説明する。図１は本発明の実施形態のジャック構造を示す正面断面図、図２は実施形態のジャック構造の要部を示す側面図である。
【０００７】
本実施形態のジャック構造は、図１、図２に示すように、基板１を収納した筐体２の側壁２ａにジャック挿入用開口縁２ｂが形成され、基板１における開口縁２ｂと対向する箇所に、ジャック３の信号ライン用先端部３ａが弾性当接する弾性円弧形状部４ａを有する信号ライン用金属切片４が立設されているとともに、この信号ライン用金属切片４と開口縁２ｂとの間に、両立片部５ａ、５ｂにジャック３のグランドライン用円棒部３ｂに弾性当接する弾性円弧形状部５ｃ、５ｄを有する略コ字形のグランドライン用金属切片５が立設されている。更に、筐体２の側壁２ａのジャック挿入用開口縁２ｂから内側に向けてジャック保持用筒状リブ２ｃが突設されている。
【０００８】
さらに詳しくは、図１に明示されているように、信号ライン用金属切片４の弾性円弧形状部４ａは、筐体２の開口縁２ｂからジャック３を挿入したときに、このジャック３の信号ライン用先端部３ａがこのジャック３の挿入方向から弾性当接するようになっている。また、図２に明示されているように、略コ字形のグランドライン用金属切片５の両立片部５ａ、５ｂの弾性円弧形状部５ｃ、５ｄは、ジャック３のグランドライン用円棒部３ｂの外周２箇所に弾性当接してそのグランドライン用円棒部を挟むように形成されている。さらに、図２に明示されているように、グランドライン用金属切片５の両立片部５ａ、５ｂの弾性円弧形状部５ｃ、５ｄの相互間に亘る部分がグランドライン用円棒部３ｂの外周１箇所に当接するようにしてある。
【０００９】
そして、筐体２の開口縁２ａからジャック３を挿入して、このジャック３をジャック保持用筒状リブ２ｃで保持させたときに、このジャック３の信号ライン用先端部３ａを基板１に設立された信号ライン用金属切片４の弾性円弧状部４ａに弾性当接させるとともに、このジャック３のグランドライン用円棒部３ｂを基板状１上に立設されたグランドライン用金属切片５の両立片部５ａ、５ｂの弾性円弧形状部５ｃ、５ｄ弾性当接させるようにして、ジャック３と基板１のグランドライン（図示略）及び信号ライン（図示略）とを接続するようにしている。
【００１０】
したがって、本実施形態のジャック構造によれば、基板１上に立設した信号ライン用金属切片４とグランドライン用金属切片５を介して、ジャック３と基板１のグランドライン及び信号ラインとを接続できるので、従来のように、ケース等を設ける必要がなくて、構造が極めて簡単でコストダウンを図ることができる。更に、信号ライン用金属切片４には、ジャック３の信号ライン用先端部３ａが弾性当接する弾性円弧形状部４ａが設けられているので、ジャック３の信号ライン用先端部３を信号ライン用金属切片４に確実に当接することができて、その接続を正確に行うことができる。
【００１１】
また、グランドライン用金属切片５には、ジャック３のグランドライン用円棒部３ｂが弾性当接する弾性円弧形状部５ｃ、５ｄが設けられているので、ジャック３のグランドライン用円棒部３Ｂをグランドライン用金属切片５に確実に当接することができて、その接続を正確に行うことができる。更に、筐体２の側壁２ａのジャック挿入用開口縁２ｂから内側に向けてジャック保持用筒状リブ２ｃが突設したので、ジャック３をジャック挿入用開口縁２ｂに挿入したときに、このジャック３を水平に保つことができて、ジャック３が振れたり、斜めに挿入されることがない。
【００１２】
【発明の効果】
以上説明したように、請求項１に記載の発明は、基板を収納した筐体の側壁にジャック挿入用開口縁を形成し、前記基板における開口縁と対向する箇所に、信号ライン用金属切片を立設すると共に、この信号ライン用金属切片と前記開口縁との間に、両立片部を有する略コ字形のグランドライン用金属切片を立設してあり、前記信号ライン用金属切片は、前記筐体の開口縁からジャックを挿入したときに、このジャックの前記信号ライン用先端部がこのジャックの挿入方向から弾性当接する円弧形状部を有し、略コ字形の前記グランドライン用金属切片は、前記ジャックのグランドライン用円棒部の外周２箇所に弾性当接してそのグランドライン用円棒部を挟む弾性円弧形状部をその両立片部に有していると共に、当該グランドライン用金属切片の両立片部の弾性円弧形状部の相互間に亘る部分が前記グランドライン用円棒部の外周１箇所に当接するようにして、前記ジャックと前記基板のグランドライン及び信号ラインとを接続するように構成し、更に、前記筐体の側壁のジャック挿入用開口縁から内側に向けてジャック保持用筒状リブを突設したので、以下に述べる効果を奏する。
【００１３】
即ち、基板上に立設した信号ライン用金属切片とグランドライン用金属切片を介して、ジャックと基板のグランドライン及び信号ラインとを接続できるので、従来のように、ケース等を設ける必要がなくて、構造が極めて簡単でコストダウンを図ることができる。更に、信号ライン用金属切片には、ジャックの信号ライン用先端部が弾性当接する弾性円弧形状部が設けられているので、ジャックの信号ライン用先端部を信号ライン用金属切片に確実に当接することができて、その接続を正確に行うことができる。
【００１４】
また、グランドライン用金属切片には、ジャックのグランドライン用円棒部が弾性当接する弾性円弧形状部が設けられているので、ジャックの信号ライン用先端部を信号ライン用金属切片に確実に当接することができて、その接続を正確に行うことができる。更に、筐体の側壁のジャック挿入用開口縁から内側に向けてジャック保持用筒状リブが突設したので、ジャックをジャック挿入用開口縁に挿入したときに、このジャックを水平に保つことができて、ジャックが振れたり、斜めに挿入されることがない。
【図面の簡単な説明】
【図１】  本発明の実施形態のジャック構造を示す正面断面図である。
【図２】  実施形態のジャック構造の要部を示す側面図である。
【図３】  従来のヘッドホンジャックの内部構造を示す縦断面図である。
【図４】  従来におけるジャックに挿入可能なプラグの斜視図である。
【図５】  （ａ）は同プラグの分解斜視図、（ｂ）は同ジャックの斜視図、（ｃ）は後蓋を除去した同ジャックの背面を示す斜視図である。
【図６】  同ジャックに挿入した同プラグとバネ部分との関係を示す斜視図、（ｂ）は同ジャックに同プラグを挿入する前の状態を示す縦断面図、（ｃ）は同ジャックに同プラグを挿入した接続状態を示す縦断面図である。
【符号の説明】
１  基板
２  筐体
２ａ  側壁
２ｂ  ジャック挿入用開口縁
２ｃ  ジャック保持用筒状リブ
３  ジャック
３ａ  信号ライン用先端部
３ｂ  グランドライン用円棒部
４  信号ライン用金属切片
４ａ  弾性円弧形状部
５  グランドライン用金属切片
５ａ、５ｂ  両立片部
５ｃ、５ｄ  弾性円弧形状部
【図１】
0003736621.tif 000002
【図２】
0003736621.tif 000003
【図３】
0003736621.tif 000004
【図４】
0003736621.tif 000005
【図５】
0003736621.tif 000006
【図６】
0003736621.tif 000007